(57)【特許請求の範囲】
【請求項１】
パケット化形式で連続的にデータ流を伝送する方法であって、
連続的なデータ流がメモリ装置（１）に書き込まれ、
前記メモリ装置（１）に記憶されたデータは、当該メモリ装置（１）から読み出されて、データパケットで伝送され、
前記データパケットが誤りなく伝送されなかった場合、当該データパケット内に含まれるデータが新たに伝送される方法において、
メモリ装置（１）としてサイクリックバッファを用い、
前記サイクリックバッファ（１）には、書き込みポインタ（Ｓ）及び当該書き込みポインタ（Ｓ）に依存しない読み出しポインタ（Ｌ）が設けられており、前記書き込みポインタ（Ｓ）及び前記読み出しポインタ（Ｌ）は、データの各書き込み乃至読み出し後、自動的にインクリメントされ、モジューロカウンタの形式でメモリ終端に達した際に自動的にメモリ始端にリセットされ、又は、メモリ始端に達した際に自動的にメモリ終端にリセットされ、
データパケットで伝送されるデータが前記サイクリックバッファ（１）内に各々記憶されるアドレスを、読み出しポインタ一時記憶メモリ（２−１〜２−８）内に一時記憶し、
前記データパケットが誤りなく伝送されなかった場合、当該データパケット内に含まれているデータを、前記読み出しポインタ一時記憶メモリ（２−１〜２−８）内に記憶されている、配属アドレスを用いて新たにサイクリックバッファ（１）から読み出して伝送することを特徴とする方法。
【請求項２】
伝送すべきデータパケットに、サイクリックバッファ（１）から読み出されたデータ、並びに、付加的なシグナリング及びエラー保護データを含ませる
請求の範囲１記載の方法。
【請求項３】
送信データパケットを送信バッファ（３）内に、送信するために予め形成しておく
請求の範囲１又は２記載の方法。
【請求項４】
パケット化形式で連続的にデータ流を伝送するための装置であって、連続的なデータ流がメモリ装置（１）に書き込まれ、
前記メモリ装置（１）に記憶されたデータは、当該メモリから読み出されて、データパケットで伝送され、
前記データパケットが誤りなく伝送されなかった場合、当該データパケット内に含まれるデータが新たに伝送される装置において、
メモリ装置（１）としてサイクリックバッファが用いられ、
データパケットで伝送されるデータが前記サイクリックバッファ（１）内に各々記憶されるアドレスの制御用の読み出しポインタ一時記憶メモリ（２−１〜２−８）が設けられており、
前記データパケットが誤りなく伝送されなかった場合、当該データパケット内に含まれているデータが、前記読み出しポインタ一時記憶メモリ（２−１〜２−８）内に記憶されている、配属アドレスを用いて新たにサイクリックバッファ（１）から読み出されて伝送されるように構成されている
ことを特徴とする装置。
【発明の詳細な説明】
【０００１】
本発明は、特許請求の範囲１の上位概念に記載の方法及び特許請求の範囲４の上位概念に記載の装置、即ち、パケット化形式で連続的にデータ流を伝送し、連続的なデータ流がメモリ装置に書き込まれ、メモリ装置に記憶されたデータは、当該メモリから読み出されて、データパケットで伝送され、データパケットが誤りなく伝送されなかった場合、当該データパケット内に含まれるデータが新たに伝送される方法及び装置に関する。
【０００２】
従来技術
その種の方法乃至その種の装置は、例えば、DECT標準で作動する無線システムで必要とされる（但し、それだけではない）。
【０００３】
DECT標準により作動する無線システムの原理的な構造は、図２に略示されている。
【０００４】
図２に示されたシステムは、基地局Ｂと複数のワイヤレステレコミュニケーション端末装置TE1〜TEnから構成されている。ワイヤレステレコミュニケーション端末装置TE1〜TEnは、例えば、モービルテレホンであり、このモービルテレホンは、無線を介して基地局Ｂと通信するが、ワイヤレステレコミュニケーション装置の代わりに、ワイヤレスコネクションボックスを、ケーブル接続されたテレコミュニケーション装置（”通常”テレホン、ファックス装置、モデム、等）の接続のために使用してもよい。
【０００５】
基地局Ｂとテレコミュニケーション端末装置TE1,TE2,・・・,TEn（又は、他の装置）との間の、その種のデータ伝送は、所謂フレーム単位で行われ、ここで必要な範囲内で、以下、図３を用いて説明する。図３から分かるように、そのようなフレーム、正確に言うと、ここで考察しているDECTフルスロットフレームは、24個の所謂タイムスロット乃至スロット（フルスロット）から構成されている。24個のスロットの内の第１のスロット11は、基地局からテレコミュニケーション端末装置に伝送され、第１のスロット11に続く第２のスロット12は、テレコミュニケーション端末装置から基地局に伝送される。正確に言うと、基地局の各フレームの１つのゼロ番目のスロットがゼロ番目のテレコミュニケーション端末装置に伝送され、第１のスロットは、基地局から第１のテレコミュニケーション端末装置に伝送され、第２のスロットは、基地局から第２のテレコミュニケーション端末装置に伝送され、・・・、第11のスロットは、基地局から第11のテレコミュニケーション端末装置に伝送され、逆に、第12のスロットは、ゼロ番目のテレコミュニケーション端末装置から基地局に伝送され、第13のスロットは、第１のテレコミュニケーション端末装置から基地局に伝送され、第14のスロットは、第２のテレコミュニケーション端末装置から基地局に伝送され、・・・、第23のスロットは、第11のテレコミュニケーション端末装置から基地局に伝送される。
【０００６】
フレーム、乃至、フレームの24スロットは、10ms内で伝送される。480ビットの各スロットは、約417μｓ（416.66μｓ）で伝送される。図３から分かるように、480ビットが、32ビット幅の同期フィールド、388ビット幅のＤフィールド、４ビット幅のＺフィールド、及び、56ビット幅のガードスペースフィールドに分割されている。
【０００７】
本来関心のある有効データ（例えば、音声データ）の伝送のために、320ビットが、Ｄフィールド内に確保されている。基地局は、10ms内で、320ビットの有効データをテレコミュニケーション端末装置のそれぞれに送信し、同じ量の有効データが、テレコミュニケーション端末装置のそれぞれによって受信される；つまり、基地局とテレコミュニケーション端末装置のそれぞれとの間での有効データの伝送速度は、各方向で32ビット/sである。
【０００８】
基地局ＢがISDNテレコミュニケーション網に接続されている場合、有効データは、伝送速度64ビット/sで、このISDNテレコミュニケーション網から受信されて、この基地局Ｂに供給される。
【０００９】
従って、上述のシステムでは、基地局と、ISDNテレコミュニケーション網との間の有効データ伝送速度は、基地局と、接続されたテレコミュニケーション装置との間の有効データ伝送速度の倍の速さである。従って、DECT標準により作動する無線システムをISDNテレコミュニケーション網に接続するには、特別な手段を必要とする。即ち、伝送すべきデータを、基地局とテレコミュニケーション端末装置との間で圧縮して伝送するか、又は、基地局とテレコミュニケーション装置との間で伝送すべきデータを、前述とは別のやり方で伝送する必要がある。
【００１０】
転送すべきデータが音声データである場合、基地局とテレコミュニケーション端末装置との間で、データを圧縮して伝送するとよい。この際、情報が損失することがあるが、一般的には、この情報の損失は、許容可能である。
【００１１】
これに対して、転送すべきデータが音声データとは別のデータである場合、つまり、例えば、コンピュータ、ファックス装置、モデム等から送信されたデータである場合、このデータは、圧縮することによって、使用不可能な程に切断されてしまうことがある。従って、そのような場合、伝送すべきデータは、基地局とテレコミュニケーション端末装置との間でも64ビット/sの速度で伝送する必要がある。
【００１２】
このように、64ビット/sの速度で伝送するためには、所謂LU7サービスを用いることができる。
【００１３】
LU7サービスは、DECTの所謂MACレイヤ（OSI/ISO層モデルによるレイヤ２）を介してパケット化された形式で、DECTの所謂DLCレイヤ（OSI/ISO層モデルによるレイヤ３）に該当するETSIドキュメントETS  300  175−４で定義されている。
【００１４】
所謂ダブルスロットを用いると、データ伝送速度を、64kビット/sに上昇させることができる。
【００１５】
ダブルスロットは、その名称から分かるように、「通常の」フルスロットの倍の長さ、つまり、960ビットを有する。その際、フルスロットに対して付加された480ビットが、フルスロットのほぼ全フィールドに分布されているのではなく、専ら、伝送すべき有効データを含む、Ｄフィールドの部分に加えることができる。従って、タブルスロット毎に、320＋480＝800ビットを伝送可能である。この800ビットの内、80ビットをエラー検出及びエラー除去（FEC乃至フォワードエラーコレクション）用に確保されており、その結果、単に有効データ伝送のためだけに、ダブルスロット毎に720ビットを利用できる。
【００１６】
ダブルスロットを用いることによって、フレームの長さは変わらず、単に、フレーム内に含まれるスロットの数、つまり、基地局に登録する（einbuchten）ことができる装置の個数が、それによって変わるに過ぎない。
【００１７】
従って、ダブルスロットを、基地局と、それに接続された装置との間でのデータ伝送に使用する際、全部で10ms（１フレームの期間）720ビット、つまり、72kビット/sを両方向に伝送することができる。これは、上述のようにして達成された64kビット/sよりも速い。
【００１８】
連続的なデータ流のパケット状の伝送のためには、送信側及び受信側にメモリ装置を設けて、このメモリ装置内に、伝送データを、このデータの伝送の前後に所定時間一時記憶する必要がある。この際、通常のように、所謂FIFO（First−In−First−Out）メモリが使用される。
【００１９】
テレコミュニケーション網から、64kビット/sで得られる有効データを、64kビット/sで、テレコミュニケーション網に接続された装置に転送し、又は逆に、テレコミュニケーション網に接続された装置から、テレコミュニケーション網に転送する基地局の構成が、第４図に示されている。
【００２０】
第４図に示された基地局Ｂは、ISDNテレコミュニケーション網に接続されていて、ISDNテレコミュニケーション網から64kビット/sの速度で、有効データを得て、この有効データは、テレコミュニケーション端末装置TEnに転送されるものとする。
【００２１】
ISDNテレコミュニケーション網から得られた有効データは、基地局Ｂで、DLCレイヤに組み込まれているFIFOメモリ101内に記憶される。FIFOメモリは、640バイトのメモリ容量を有しており、従って、データ量の記憶のために、8DECTフレーム（80ms）内で64kビット/sの、達成されたデータ伝送速度で、テレコミュニケーション端末装置TEnに伝送することができるように構成される。
【００２２】
FIFOメモリ101内に書き込まれたデータは、80バイト単位で読み出され、相応のシグナリングデータ及び既述のエラー保護データと一緒にダブルスロットにまとめられ、MACレイヤに組み込まれた送信バッファ103内に記憶される。送信バッファ103内に記憶されたデータパケットは、送信バッファから、考察している例では専ら受信局として作動するテレコミュニケーション送信装置TEnに送信される。テレコミュニケーション端末装置TEnは、基地局Ｂから送信されたデータを受信し、このデータは、先ずMACレイヤ内に組み込まれた受信バッファ113内に記憶される。それから、このデータは、受信バッファから読み出され、このデータからシグナリング及びエラー保護データが取り出されて、DLCレイヤに組み込まれたFIFOメモリ111内に記憶し直される。FIFOメモリ111は、伝送されたダブルスロットデータパケットから、その中に含まれている有効データだけを取り出して、このデータをフェッチする。
【００２３】
各データ伝送の場合のように、前述の場合でもエラーが生じることがある。このエラーレートは、考察している例では、ARQ（Automatic  Repeat  Request:自動再生要求方式）アクセス及び既述のFFC（Forward  Error  Correction）アクセスの組合せによって小さく保持することができる。即ち、データは、受信局内で、一緒に送信されたエラー保護データを用いて、このデータが正しいかどうかチェックされ、伝送エラーがあることが検出された場合には、このエラーが受信局で訂正されるか（Forward  Error  Correction）、又は、伝送エラーがあることが検出されない場合には、エラーのあるダブルスロットが繰り返し伝送される（Automatic  Repeat  Request）。
【００２４】
所定のダブルスロットを繰り返し伝送することができるためには、送信局から送信されたデータを、送信後、所定時間記憶しておく必要がある。このために、考察している例では８個の伝送繰り返し一時記憶メモリ102−１〜102−８が設けられている。この伝送繰り返し一時記憶メモリのそれぞれは、80バイト（伝送繰り返しの際に発生するエラーを伝送繰り返しによって補正することができるようにする必要がある場合には、90バイト）の容量を有しており、つまり、その都度、ダブルスロットによって伝送される有効データ量を記憶することができる。伝送繰り返し一時記憶メモリ102−１〜102−８は、このメモリを、（付加すべきシグナリング及びエラー保護データと一緒に）送信メモリ103内に（送信用に）記憶するために、FIFOメモリ101内に記憶されたデータで書き込まれる。
【００２５】
ダブルスロットの伝送を繰り返すことによって、何れにせよ、比較的長い時間スケールで見て、エラーのない伝送データの伝送速度を下げる必要はない。既述のように、即ち、（エラーのない）正常な場合、90バイトの有効データを伝送することができるにも拘らず、ダブルスロット毎に「僅かに」80バイトの有効データしか伝送されない。利用できる容量を完全に使うには、８個のダブルスロットによって、新たに正常に利用されるダブルスロットで伝送される場合よりも多くのデータを伝送することができる。即ち、ダブルスロット内に含まれているデータを繰り返し伝送する必要が場合によってはあるが、その際、どうしても、伝送すべきダブルスロットの数が増大してしまう。有効データ伝送速度が短時間不規則になるが、８個のダブルスロットを伝送した後、伝送を繰り返す必要がない状態に再度達する。伝送を繰り返すことによって、伝送エラーが取り除かれ、その結果、基地局Ｂ内で、供給データを遮断せずに受け取ることができる状態が、エラーにより妨害されることはなくなり、且つ、テレコミュニケーション端末装置TEnで、予期されるデータを遮断せずに（FIFOメモリ111から）得ることができる状態が、エラーにより妨害されることはなくなる。即ち、エラーなしに伝送される有効データの伝送速度が、短時間変動しても、基地局Ｂ及びテレコミュニケーション端末装置TEnでデータを検査する結果、外部からは、その変動は分からない。
【００２６】
従って、データ伝送の既述のやり方によると、速い伝送速度で、エラーなしのデータ伝送が達成される。とは言うものの、既述の説明から分かるように、データ伝送の際にエラーがないようにするためには、かなりのコストが必要である。
【００２７】
従って、本発明の課題は、請求の範囲１の上位概念記載の方法、乃至、請求の範囲４の上位概念記載の装置を改良して、データ伝送の際にエラーがないようにするのに不可避なコストを、できる限り小さく保持することにある。
【００２８】
この課題は、本発明によると、請求の範囲１（方法）の特徴部分に記載の要件、乃至、請求の範囲４（装置）の特徴部分に記載の要件によって解決される。
【００２９】
それによると、メモリ装置としてサイクリックバッファを用い、サイクリックバッファには、書き込みポインタ及び当該書き込みポインタに依存しない読み出しポインタが設けられており、書き込みポインタ及び読み出しポインタは、データの各書き込み乃至読み出し後、自動的にインクリメントされ、モジューロカウンタの形式でメモリ終端に達した際に自動的にメモリ始端にリセットされ、又は、メモリ始端に達した際に自動的にメモリ終端にリセットされ、データパケットで伝送されるデータが前記サイクリックバッファ内に各々記憶されるアドレスを、読み出しポインタ一時記憶メモリ内に一時記憶し、データパケットが誤りなく伝送されなかった場合、当該データパケット内に含まれているデータを、読み出しポインタ一時記憶メモリ内に記憶されている、配属アドレスを用いて新たにサイクリックバッファから読み出して伝送する（請求の範囲１の特徴部分）、乃至、メモリ装置としてサイクリックバッファが用いられ、データパケットで伝送されるデータがサイクリックバッファ内に各々記憶されるアドレスの制御用の読み出しポインタ一時記憶メモリが設けられており、データパケットが誤りなく伝送されなかった場合、当該データパケット内に含まれているデータが、読み出しポインタ一時記憶メモリ内に記憶されている、配属アドレスを用いて新たにサイクリックバッファから読み出されて伝送される（請求の範囲４の特徴部分）ようにされている。
【００３０】
通常のように、一時記憶用に設けられたFIFOメモリを、サイクリックバッファに取り替えることによって、伝送繰り返し一時メモリを設けなくてすむ。場合によって繰り返し伝送すべきデータは、FIFOメモリとは異なって、任意の時点で、且つ、サイクリックバッファ内の任意の箇所から任意の回数頻度で読み出すことができる。
【００３１】
それとは別個に、サイクリックバッファの作動を、FIFOメモリの作動よりも簡単且つ問題なしに構成することができる。サイクリックバッファを用いると、即ち、FIFOメモリを用いる場合とは違って、記憶されたデータを定常的に内部で更に書き込んだり、記憶し直したりする必要がなく、それにより、サイクリックバッファは、電力消費の点でも温度特性の点でも明らかに有利な改良である。
【００３２】
従って、本発明の方法及び本発明の装置によると、データ伝送をエラーなしに行うことができるようにするためのコストを最小に減らすことができる。
【００３３】
本発明の有利な実施例は、従属請求項に記載されている。
【００３４】
本発明について、以下、図示の実施例を用いて詳細に説明する。
【００３５】
本発明の方法及び本発明の装置について、以下、DECT標準により作動する無線システムを用いて説明する。しかし、本発明の用途は、その種の使用に限定されるものではなく、基本的に、本発明は、任意の目的で実行される、任意の装置間でのデータ伝送に使用可能である。
【００３６】
考察しているDECTシステムの原理的な構成は、データ伝送に該当する詳細部は除外して、図２に示されているシステムとは区別される。
【００３７】
また、図３に示されている各データ（基地局と当該基地局に登録されているモービルテレホンと交換される）のフォーマットは、ほぼ同じである。しかし、図３に示されているフルスロットの代わりに、ダブルスロットが伝送される。しかし、ダブルスロットは、フルスロットから区別されるのは、以下の点で「のみ」である。即ち、本来伝送すべき有効データを含む、ダブルスロットでのＤフィールドの部分は、フルスロット長、即ち、480ビットだけ大きく、つまり、全部で800ビットを有しており、その内、720ビットが有効データ伝送に使用可能であり、80ビットがFEC実行用のエラー保護データ用にとってある。
【００３８】
冒頭に既述したように、基地局Ｂと（６個迄）接続されたテレコミュニケーション装置TE1,TE2,・・・TEnのそれぞれとの間にダブルスロットが用いられている場合、両方向で全部で10ms720ビットの本来伝送されるべき有効データが、72kビット/sで伝送することができる。基地局Ｂは、当該実施例では、ISDNテレコミュニケーション網に接続されていて、ISDN−Ｂ−チャネルのデータを64kビット/sでテレコミュニケーション送信装置の１つに送信し、テレコミュニケーション送信装置の１つから受信する。
【００３９】
前述の高速データ伝送が比較的簡単にエラーなく実行できる基地局Ｂとテレコミュニケーション送信装置TEnの有利な内部構成は、図１に示されている。
【００４０】
当該実施例では、専ら送信局として作動する基地局Ｂは、DLCレイヤに組み込まれているサイクリックバッファ１、８個の、同様にDCLレイヤに組み込まれている読み出しポインタ（Lesezeiger）一時記憶メモリ２−１〜２−８、及びMACレイヤに組み込まれている送信バッファ３を有している。
【００４１】
サイクリックバッファ１は、テレコミュニケーション送信装置TEnに伝送される有効データを一時記憶するのに使われる。サイクリックバッファ１は、スタンダードRAMとして構成して、当該実施例では、640バイトのメモリ容量を有することができる。640バイトは、以下の説明から一層よく分かるように、通常の場合、８ダブルスロットによって8DECTフレーム内でテレコミュニケーション送信装置TEnに伝送される有効データ量に相当する。
【００４２】
サイクリックバッファ１は、書き込みポインタＳであり、書き込みポインタＳとは独立して読み出しポインタＬが設けられており、書き込みポインタＳ及び読み出しポインタＬは、データの各書き込み乃至読み出し後、自動的にインクリメントされ、所謂モジューロカウンタの形式で、メモリ終端に達した際に自動的にメモリ始端にリセットされる（又は、メモリ始端に達した際に自動的にメモリ終端にリセットされる）。しかし、書き込みポインタＳ及び読み出しポインタＬは、何時でも、サイクリックバッファ内の任意の位置に極めて計画的に使用することができる。
【００４３】
読み出しポインタ−一時記憶メモリ２−１〜２−８は、通常の場合に、それぞれのダブルスロットによって伝送される有効データをサイクリックバッファ内に記憶するアドレスを一時記憶するのに使われる。読み出しポインタ−一時記憶メモリ２−１〜２−８は、通常の場合に、サイクリックバッファ１内に記憶可能なデータ量の伝送のために必要な、フレーム乃至ダブルスロットの個数と同じ個数設けられている。
【００４４】
送信バッファ３は、伝送されるデータを、シグナルリングデータ及びエラー保護データと一緒にダブルスロットフォーマットで送信するのに使用される。
【００４５】
当該実施例では、専ら受信局として作動するテレコミュニケーション送信装置TEnは、MACレイヤに組み込まれている受信バッファ13及びDLCレイヤに組み込まれているサイクリックバッファ11を有している。
【００４６】
サイクリックバッファ11は、基地局Ｂによって受信される有効データの一時記憶のために使われ、それ以外の点ではサイクリックバッファ１に相応している。
【００４７】
受信バッファ13は、基地局によって受信されるダブルスロット用の入力バッファとして使われる。
【００４８】
基地局Ｂは、既述のように、図１にISDNで示したISDNテレコミュニケーション網に接続されている。このISDNテレコミュニケーション網を介して得られるデータからは、Ｂチャネルの１つを介して得られる有効データが抽出され、連続的なデータ流（64kビット/s）に変換され、（書き込みポインタＳが前進的にインクリメントして）サイクリックバッファ１に書き込まれる。所定のデータ量がサイクリックバッファ１内に書き込まれた後、それにより、記憶されたデータが（読み出しポインタＬが漸進的にインクリメントして）読み出されて、付加されるシグナリングデータ及びエラー保護データと一緒にダブルスロットでテレコミュニケーション送信装置TEnに伝送される。サイクリックバッファ１からのデータの読み出しは、80バイト（640ピット）単位で行われる。読み出された80バイトの有効データは、シグナリングデータ及びエラー保護データと共に全部で960ビットを有するデータパケットで、ダブルスロットフォーマットで合成され、送信バッファ３内に記憶される。送信バッファ３から、データパケットは、ダブルスロットとしてテレコミュニケーション送信装置TEnに伝送される。テレコミュニケーション送信装置TEnは、ダブルスロットを受信し、ダブルスロットを先ず受信バッファ13内に記憶する。それから、テレコミュニケーション送信装置TEnは、受信バッファ13内に記憶されたデータを読み出し、テレコミュニケーション送信装置TEnは、シグナリングデータ及びエラー保護データを切り離して、有効データをサイクリックバッファ11内に記憶する。サイクリックバッファ11内に所定のデータ量が書き込まれた後、それによって、データを64kビット/sの速度で連続的にサイクリックバッファ11から読み出し開始できる。
【００４９】
図１によるシステムで行われる過程の前述の説明では、基地局Ｂからテレコミュニケーション送信装置TEnへのデータ伝送は、エラーなく、又は、テレコミュニケーション送信装置TEnにおいて、一緒に伝送されるエラー保護データを用いて補正することができる程度のエラーしかないことが前提となっている。
【００５０】
しかし、テレコミュニケーション送信装置TEnによって受信されたデータは、このデータを使用する前に検査され、この検査によって、一緒に伝送されるエラー保護データを用いて、当該のダブルスロットが空き状態で伝送されているかどうか検査することができる。その際、伝送がエラーなしに行なわれたことが確認された場合、テレコミュニケーション送信装置TEnによって、エラー保護データを用いてエラーを補正することが試みられる。エラーが補正できない場合、ダブルスロットを新たに伝送する必要がある。この、冒頭で既述したような、当該のLU7サービスで実用化されているサービス低減用の方法は、ARQ−アクセス及びFEC−アクセスの組合せである。
【００５１】
基地局Ｂは、ダブルスロットの伝送を繰り返す必要があるかどうか、連続的に監視する。このことは、テレコミュニケーション送信装置TEn及び／又はテレコミュニケーション送信装置TEn側からの明確な相応の要求によって、当該のダブルスロットが受信されていないということを確認することから検出可能である。
【００５２】
基地局が、所定のダブルスロットが新たに伝送されたことを検出した場合、基地局は、当該のダブルスロットを更に数回伝送する。その際、エラーのない伝送の場合とは違って、一時的に（８ダブルスロットの間）ダブルスロットにつき、それぞれ80バイトのみならず、ダブルスロットにつき最大可能90バイトの有効データを伝送することができる。そうすることによって、ダブルスロット毎に、通常（エラーのない作動時に）ダブルスロット毎に伝送される場合1.125倍の有効データを伝送することができる。即ち、８個の完全に利用されるダブルスロットが伝送された後、ダブルスロットを繰り返し伝送したにも拘らず、伝送エラーが発生せずにダブルスロットを正常に（部分的にのみ）利用した場合に伝送されるのと同様に多数のデータを伝送することができる。
【００５３】
所定のデータが繰り返し伝送される必要がある場合には、所望のデータを読み出すためには、サイクリックバッファ１の読み出しポインタＬを通常のように１回インクリメントしさえすればよい。
【００５４】
これは、当該実施例では、読み出しポインタ一時記憶メモリ２−１〜２−８を用いて行われる。前述の読み出しポインタ一時記憶メモリ２−１〜２−８は、それぞれアドレスを記憶し、このアドレスによって、ダブルスロットによって伝送すべきデータがサイクリックバッファ内に記憶される。
【００５５】
所定のデータが基地局によって新たに伝送される場合、読み出しポインタＬは、エントリに相応して所属の読み出しポインタ一時記憶メモリ内にセットされ、読み出しポインタＬに基づいて、所望のデータを通常と同様のサイクリックバッファ１から読み出すことができる。別個の伝送繰り返し一時記憶メモリ（図４の102−１〜102−８）を設ける必要はない。単に、書き込みポインタＳを、それぞれ読み出しポインタＬからかなり離隔して、サイクリックバッファから繰り返し読み出されるべきデータ及び未だ読み出されていないデータを、それらのデータを読み出すことができる前に上書きされないように注意する必要があるにすぎない。
【００５６】
読み出しポインタ一時記憶メモリ２−１〜２−８は、当然ながら、必要な場合に作動しさえすればよい。
【００５７】
サイクリックバッファ１を、読み出しポインタ一時記憶メモリ２−１〜２−８内に記憶されたアドレスを１回計算可能か、又は、公知のように単に変わらないようにして常に書き込まれる場合には、読み出しポインタ一時記憶メモリ２−１〜２−８をなくすことができる。
【００５８】
それとは無関係に、既述のように構成されたデータ伝送システムの構成及び作動方式は、FIFOメモリを有効データ一時記憶メモリとして使用する場合よりも著しく簡単に構成される。
【００５９】
殊に、既述のように、FIFOメモリの代わりにサイクリックバッファを用いた場合、別個の伝送繰り返し一時記憶メモリを設けないでよい。更に、FIFOメモリの場合に必要なように定常的に記憶し直したり、FIFOメモリ内に記憶されたデータを転送する必要もなくなる。
【００６０】
既述のデータ伝送システムは、僅かな所要スペース、僅かな電力しか必要とせず、さほど強く加熱されない。
【００６１】
従って、既述の方法及び既述の装置によると、データ伝送の際にエラーがないようにするために必要なコストを最小に低減することができる。
【図面の簡単な説明】
【図１】
図１は、基地局の新規な内部構造及び該基地局に接続された、DECT標準により作動する無線システムのテレコミュニケーション送信装置の説明に供する図である。
【図２】
図２は、DECT標準により作動する無線システムの構成を示す図である。
【図３】
図３は、基地局と当該基地局と通信するテレコミュニケーション端末装置との間で交換されるデータのフォーマットを示す図である。
【図４】
図４は、基地局の通常の内部構成と当該基地局に接続された、DECT標準により作動する無線装置のテレコミュニケーション送信装置の説明に供する図である。
【図１】
0003606882.tif 000002
【図２】
0003606882.tif 000003
【図３】
0003606882.tif 000004
【図４】
0003606882.tif 000005